(57)【要約】【課題】車両の搭乗者の利便性を向上することができる表示システムを提供すること。【解決手段】ワイドディスプレイ２００は、画面２３０上に１画面表示または２画面表示の形態でコンテンツソースから得られる映像を表示する。映像処理装置６００は、ワイドディスプレイ２００の画面２３０を２分割してなる分割画面２１０および分割画面２２０に表示される複数の映像が、同一となる場合に、映像表示の形態を、２画面表示から１画面表示に切り替える。【選択図】図１
2007295048.tif 000002
【特許請求の範囲】
【請求項１】
１画面表示または分割画面表示の形態で映像を表示する表示部と、
前記分割画面表示の形態で表示される複数の映像が同一となる場合、映像表示の形態を、前記分割画面表示から前記１画面表示に切り替える映像処理部と、
を具備する表示システム。
【請求項２】
前記表示部の表示映像のコンテンツソースの切替を指示する制御部をさらに具備し、
前記映像処理部は、
前記分割画面表示の形態で異なるコンテンツソースからの映像が表示されているときに、一方の分割画面の表示映像のコンテンツソースを他方の分割画面の表示映像と同じコンテンツソースに切り替えることを前記制御部により指示された場合、映像表示の形態を切り替える、
請求項１記載の表示システム。
【請求項３】
前記映像処理部は、
前記異なるコンテンツソースからの映像を合成して前記表示部に前記分割画面表示の形態で表示させ、
前記制御部により切替を指示された場合、前記異なるコンテンツソースからの映像の合成を停止すると同時に、前記一方の分割画面および前記他方の分割画面のうちいずれかの表示映像を拡大させる、
請求項２記載の表示システム。
【請求項４】
前記異なるコンテンツソースは、チャンネル切替可能な第１テレビチューナおよび第２テレビチューナ、ならびにテレビチューナと異なる映像ソースを含み、
前記映像処理部は、
前記映像ソースおよび前記第１テレビチューナからの映像が前記一方の分割画面および前記他方の分割画面にそれぞれ表示されているときに、前記一方の分割画面の表示映像のコンテンツソースを前記映像ソースから前記第２テレビチューナに切り替えることを前記制御部により指示された場合、且つ前記第１テレビチューナの選択チャンネルおよび前記第２テレビチューナの選択チャンネルが同一である場合、映像表示の形態を切り替える、
請求項２記載の表示システム。
【請求項５】
前記表示部は、テレビチューナの選択チャンネルの映像を表示し、
前記選択チャンネルの切替を指示する制御部をさらに具備し、
前記映像処理部は、
前記分割画面表示の形態で異なる選択チャンネルの映像が表示されているときに、一方の分割画面の表示映像の選択チャンネルを他方の分割画面の表示映像と同じ選択チャンネルに切り替えることを前記制御部により指示された場合、映像表示の形態を切り替える、
請求項１記載の表示システム。
【請求項６】
前記映像処理部は、
前記異なる選択チャンネルの映像を合成して前記表示部に前記分割画面表示の形態で表示させ、
前記制御部により切替を指示された場合、前記異なる選択チャンネルの映像の合成を停止すると同時に、前記一方の分割画面および前記他方の分割画面のうちいずれかの表示映像を拡大させる、
請求項５記載の表示システム。
【請求項７】
画面上に１画面表示または分割画面表示の形態で映像を表示させる映像処理手段と、
前記画面上に前記分割画面表示の形態で表示される複数の映像が同一となる場合、映像表示の形態を前記分割画面表示から前記１画面表示に切り替える切替手段と、
を具備する映像処理装置。
【請求項８】
画面上に１画面表示または分割画面表示の形態で映像を表示させる映像処理ステップと、
前記画面上に前記分割画面表示の形態で表示される複数の映像が同一となる場合、映像表示の形態を前記分割画面表示から前記１画面表示に切り替える切替ステップと、
を具備する映像処理方法。
【請求項９】
表示装置に対して１画面を分割してなる一の分割画面および他の分割画面で映像を表示させる映像処理装置であって、
前記一の分割画面で表示される映像と前記他の分割画面で表示される映像とが同一であることを条件として、前記表示装置に対して前記１画面で映像を表示させる映像処理部を備える映像処理装置。
【請求項１０】
前記映像処理部は、前記一の分割画面で表示される映像と前記他の分割画面で表示される映像とが異なる場合に、前記一の分割画面で表示される映像および前記他の分割画面で表示される映像の一方がユーザ操作に応じて他方と同一になれば、前記表示装置に対して前記１画面で映像を表示させることを特徴とする請求項９に記載の映像処理装置。
【請求項１１】
前記映像処理部は、前記表示装置に対して前記１画面で映像を、前記一の分割画面で表示される映像または前記他の分割画面で表示される映像を拡大したものとすることを特徴とする請求項９または請求項１０に記載の映像処理装置。
【請求項１２】
前記映像処理部は、前記一の分割画面で表示される映像と前記他の分割画面で表示される映像とが同一であるか否かをソースセレクタの状態を用いて決することを特徴とする請求項９ないし請求項１１のいずれかに記載の映像処理装置。
【請求項１３】
前記映像処理部は、前記表示装置が前記１画面で映像を表示する場合、前記一の分割画面への操作権および前記他の分割画面への操作権の一方のみに従って処理を行うことを特徴とする請求項９ないし請求項１２のいずれかに記載の映像処理装置。
【請求項１４】
表示装置と、この表示装置に対して１画面を分割してなる一の分割画面および他の分割画面で映像を表示させる映像処理装置とを備える表示システムであって、
前記映像処理装置は、前記一の分割画面で表示される映像と前記他の分割画面で表示される映像とが同一であることを条件として、前記表示装置に対して前記１画面で映像を表示させる映像処理部を備えることを特徴とする表示システム。
【発明の詳細な説明】
【技術分野】
【０００１】
本発明は、表示システム、映像処理装置および映像処理方法に関する。
【背景技術】
【０００２】
背景技術として、車載ディスプレイを利用して搭乗者がテレビやビデオ、ＤＶＤなどを視聴できるよう構成されたシステムがある。また、横長のディスプレイに対して横方向に合成されたカメラ画像を表示させるシステムが知られている（例えば、特許文献１を参照）。
【特許文献１】特開２００１−１１４０４８号公報
【発明の開示】
【発明が解決しようとする課題】
【０００３】
近年、各搭乗者が自らの好みに合ったコンテンツを視聴可能なシステムが望まれている。背景技術によれば、横長のディスプレイに対して横方向に合成されたテレビ番組や映画などを表示させることによって、各搭乗者に対してそれぞれ異なるコンテンツを視聴させることが可能になる。もっとも、横長のディスプレイに対して横方向に合成されたテレビ番組や映画などを表示させるだけでは、各搭乗者は、自らの好みに合ったコンテンツを視聴することができない。つまり、搭乗者全員にとっての利便性という点で、背景技術を組み合わせただけでは一定の限界がある。
【０００４】
本発明はかかる点に鑑みてなされたものであり、搭乗者にとっての利便性を向上することができるＡＶシステム、音声制御装置、音声映像制御装置および音声制御方法を提供することを目的とする。
【課題を解決するための手段】
【０００５】
本発明の表示システムは、１画面表示または分割画面表示の形態で映像を表示する表示部と、前記分割画面表示の形態で表示される複数の映像が同一となる場合、映像表示の形態を、前記分割画面表示から前記１画面表示に切り替える映像処理部と、を具備する構成を採る。
【０００６】
本発明の映像処理装置は、画面上に１画面表示または分割画面表示の形態で映像を表示させる映像処理手段と、前記画面上に前記分割画面表示の形態で表示される複数の映像が同一となる場合、映像表示の形態を前記分割画面表示から前記１画面表示に切り替える切替手段と、を具備する構成を採る。
【０００７】
本発明の映像処理方法は、画面上に１画面表示または分割画面表示の形態で映像を表示させる映像処理ステップと、前記画面上に前記分割画面表示の形態で表示される複数の映像が同一となる場合、映像表示の形態を前記分割画面表示から前記１画面表示に切り替える切替ステップと、を具備するようにした。
【０００８】
本発明の映像処理装置は、表示装置に対して１画面を分割してなる一の分割画面および他の分割画面で映像を表示させる映像処理装置であって、前記一の分割画面で表示される映像と前記他の分割画面で表示される映像とが同一であることを条件として、前記表示装置に対して前記１画面で映像を表示させる映像処理部を備える構成を採る。
【０００９】
本発明の表示システムは、表示装置と、この表示装置に対して１画面を分割してなる一の分割画面および他の分割画面で映像を表示させる映像処理装置とを備える表示システムであって、前記映像処理装置は、前記一の分割画面で表示される映像と前記他の分割画面で表示される映像とが同一であることを条件として、前記表示装置に対して前記１画面で映像を表示させる映像処理部を備える構成を採る。
【発明の効果】
【００１０】
本発明によれば、車両搭乗者にとっての利便性を向上することができる。
【発明を実施するための最良の形態】
【００１１】
以下、本発明の実施の形態について、図面を参照して詳細に説明する。
【００１２】
図１は、本発明の一実施の形態に係るＡＶ（audio visual）システム１００の構成を示すブロック図である。このＡＶシステム１００は、プログラムを記録する記録媒体（図示せず）、このプログラムを実行させるＣＰＵ（Central Processing Unit）（図示せず）、このプログラムを無線通信により受信する通信系統（図示せず）などとともに、車両に搭載することができる。
【００１３】
図１において、ＡＶシステム１００は、ワイドディスプレイ２００、リモコン３１０，３２０、受光部３３０、ＥＳＷ（エスカッションスイッチ）３４０、制御装置４００、コンテンツ入力ソース５００、ソースセレクタ５１０，５２０、映像処理装置６００、音声合成部７１０、およびスピーカ７２０を備える。
【００１４】
表示装置としてのワイドディスプレイ２００は、映像を表示する画面２３０を有する。画面２３０は、ある画面モードでは、映像処理装置６００から入力される映像信号を、画面２３０の全領域または部分領域に、１画面表示の形態で表示し、他の画面モードでは、映像処理装置６００からの映像信号を、画面２３０に、２画面表示の形態で表示する。２画面表示の場合、画面２３０の全領域を例えば境界部（図中の破線）を基準として左右に２分割してなる分割画面２１０および分割画面２２０に、それぞれ映像が表示される。したがって、画面２３０は、２つの映像ソースからそれぞれ得られる２つの映像を横に並べて表示するのに適した横長の形状を有する。
【００１５】
なお、全実施の形態の説明全体を通して用いられる「映像」なる語は、フレームを基本単位として生成、伝送または処理される信号（映像信号）の、画面２３０上での視覚的表現の総称を意味するものである。また、本実施の形態では、画面２３０を左右に２分割して２つの分割画面２１０，２２０を形成している、つまり分割画面表示の一例として２画面表示が用いられているが、分割画面の個数およびその形態は、前述のものだけに限定されない。
【００１６】
また、ワイドディスプレイ２００は、音声出力デバイスとしてのヘッドフォン出力端子２４０，２５０を備える。ヘッドフォン出力端子２４０，２５０は、ヘッドフォン（図示せず）に接続可能であり、音声合成部７１０から入力される音声信号をヘッドフォン側に出力する。この音声信号は、ヘッドフォンから音声として出力される。なお、ヘッドフォン出力端子２４０，２５０を、図示されているようにワイドディスプレイ２００の本体に設ける代わりに、ＡＶシステム１００内の他の適切な個所に設けてもよい。
【００１７】
また、ワイドディスプレイ２００は、後で詳しく述べる制御装置４００または映像処理装置６００の全体または一部と一体化して表示装置または表示システムを構成することができる。
【００１８】
リモコン３１０，３２０は、搭乗者の手動操作が可能となるよう構成され、手動操作に応じて操作コマンドを生成し、生成した操作コマンドを、無線信号、例えば赤外線信号に変換して無線送信する。操作コマンドは、画面２３０に表示される映像の制御に用いられるもの、およびヘッドフォン出力端子２４０，２５０に接続されたヘッドフォンまたはスピーカ７２０から出力される音声の制御に用いられるものを含む。例えば、制御対象の映像の選択、制御対象の音声の選択、ソース（ＣＤ／ＤＶＤデッキ、テレビ（ＴＶ）チューナ、外部入力など）の選択、およびＴＶチャンネルの選択などがある。また、操作コマンドは、さらに、ＥＳＷ３４０およびリモコン３１０，３２０の操作に関する情報の設定（例えば、操作権の設定など）に用いられるものを含む。なお、本実施の形態では、２つのリモコン３１０，３２０が使用されるが、リモコンの個数およびリモコンの車室内での設置態様については、特に限定されない。
【００１９】
リモコン３１０，３２０から出力される操作コマンドによれば、分割画面２１０に表示される映像、分割画面２２０に表示される映像、ヘッドフォン出力端子２４０に接続されたヘッドフォンから出力される音声、ヘッドフォン出力端子２５０に接続されたヘッドフォンから出力される音声、およびスピーカ７２０から出力される音声をそれぞれ個別に制御することができる。また、この個別制御は、異なる操作コマンド入力源から得られる操作コマンドに従って実行することができる。操作コマンド入力源は、ＥＳＷ３４０自体およびリモコン３１０，３２０自体として定義することもでき、リモコン３１０，３２０操作時のリモコン３１０，３２０の空間的位置、あるいはＥＳＷ３４０またはリモコン３１０，３２０を操作する搭乗者の空間的位置として定義することもできる。
【００２０】
受光部３３０は、リモコン３１０，３２０から送信された赤外線信号を受信し、制御装置４００で処理可能な電気信号に変換して、制御装置４００の操作処理部４２０に出力する。
【００２１】
ＥＳＷ３４０は、例えばワイドディスプレイ２００の枠部などの、車室内の適切な個所に設けられる。ＥＳＷ３４０は、搭乗者の手動操作が可能となるよう構成され、手動操作により生成される操作コマンドを電気信号として生成して制御装置４００の操作処理部４２０に出力する。ＥＳＷ３４０により生成可能な操作コマンドは、リモコン３１０，３２０により生成可能な操作コマンドと同様である。
【００２２】
映像制御装置または音声制御装置としての制御装置４００は、メモリ４１０、操作処理部４２０、および指示処理部４３０を備える。
【００２３】
メモリ４１０は、操作権の設定状況および操作コマンドの定義を示す各種のテーブルを保持する。メモリ４１０が保持する各種のテーブルの設定情報は、リモコン３１０，３２０およびＥＳＷ３４０からの操作コマンド、または搭乗者の着座の検知などにより随時更新されうる。メモリ４１０が保持するテーブルについては、後に詳細に説明する。
【００２４】
操作処理部４２０は、受光部３３０またはＥＳＷ３４０から操作コマンドを受信する。受信した操作コマンドが、表示される映像または出力される音声の制御に用いられるものである場合、操作処理部４２０は、この操作コマンドを指示処理部４３０に出力する。受信した操作コマンドが、ＥＳＷ３４０およびリモコン３１０，３２０の操作に関する情報の設定に用いられるものである場合、操作処理部４２０は、メモリ４１０が保持する各種のテーブルの設定情報の読み取りまたは書き込みを行う。操作処理部４２０は、操作コマンドを受信したとき、必要に応じて、引き続き行われうる手動操作のためのメッセージを映像として表示または音声として出力させるように、指示処理部４３０と共働することができる。
【００２５】
なお、操作処理部４２０、リモコン３１０，３２０、ＥＳＷ３４０または受光部３３０もしくはこれらの組合せにより、ＡＶシステム１００の操作部が構成される。
【００２６】
識別手段または制御手段としての指示処理部４３０は、操作処理部４２０からの操作コマンドを受信および解析する。より具体的には、指示処理部４３０は、操作コマンドの入力源、つまり、ＥＳＷ３４０、リモコン３１０，３２０、もしくはＥＳＷ３４０またはリモコン３１０，３２０を操作した搭乗者の空間的位置の識別を行う。さらに、操作コマンドに示された制御内容の識別およびその有効性の判定を行う。さらに、この制御内容に関連する設定情報の参照および更新を行う。そして、指示処理部４３０は、その解析結果に基づいて指示信号を生成し、生成した指示信号を、ソースセレクタ５１０，５２０の映像ＳＷ（スイッチ）５１１，５２１および音声ＳＷ５１２，５２２、映像処理装置６００の映像処理部６１０，６２０，６４０および映像合成部６３０、ならびに音声合成部７１０の少なくともいずれかに出力し、これにより、音声または映像の制御を実現する。例えば、指示処理部４３０は、分割画面２１０に表示される映像のソースを切り替える場合、ソースセレクタ５１０に対して指示信号を出力する。また、指示処理部４３０は、テレビチューナの選択チャンネルを切り替える場合、その旨を示す指示信号をコンテンツ入力ソース５００に含まれるテレビチューナ（本実施の形態では、テレビチューナ１またはテレビチューナ２）に出力する。指示処理部４３０の機能および動作については、後で詳しく述べる。
【００２７】
コンテンツ入力ソース５００は、ＣＤ／ＤＶＤデッキやテレビ（ＴＶ）チューナ、外部入力などの、コンテンツのソースの集合を示すものである。各ソースからの映像信号は、映像ＳＷ５１１，５２１に出力され、各ソースからの音声信号は、音声ＳＷ５１２，５２２に出力される。本実施の形態では、ソースとして、ＣＤ／ＤＶＤデッキ、テレビ（ＴＶ）チューナ、および外部入力を例示しているが、コンテンツ入力ソース５００には、ＨＤＤ（Hard Disk Drive）やＡＭ／ＦＭチューナなどが含まれていてもよい。
【００２８】
ソースセレクタ５１０は、映像ＳＷ５１１および音声ＳＷ５１２を有する。映像ＳＷ５１１は、コンテンツ入力ソース５００から入力される映像信号を、指示処理部４３０から入力される指示信号に従って選択的に、映像処理装置６００の映像処理部６１０に出力する。音声ＳＷ５１２は、コンテンツ入力ソース５００から入力される音声信号を、指示処理部４３０から入力される指示信号に従って選択的に、音声合成部７１０に出力する。
【００２９】
ソースセレクタ５２０は、映像ＳＷ５２１および音声ＳＷ５２２を有する。映像ＳＷ５２１は、コンテンツ入力ソース５００から入力される映像信号を、指示処理部４３０から入力される指示信号に従って選択的に、映像処理装置６００の映像処理部６２０に出力する。音声ＳＷ５２２は、コンテンツ入力ソース５００から入力される音声信号を、指示処理部４３０から入力される指示信号に従って選択的に、音声合成部７１０に出力する。
【００３０】
ここで、ソースセレクタ５１０は、２画面表示時のデフォルト設定においては、分割画面２１０、ヘッドフォン出力端子２４０および映像処理部６１０とともに１つのＡＶサブシステムを構成する。このＡＶサブシステムは、映像ＳＷ５１１から出力される映像信号が、映像処理装置６００を経由して分割画面２１０上で映像として表示され、音声ＳＷ５１２から出力される音声信号が、音声合成部７１０を経由してヘッドフォン出力端子２４０に接続されるヘッドフォンから音声として出力される。ただし、デフォルト設定が変更された場合はこの限りではない。
【００３１】
また、ソースセレクタ５２０は、２画面表示時のデフォルト設定においては、分割画面２２０、ヘッドフォン出力端子２５０および映像処理部６２０とともに１つのＡＶサブシステムを構成する。このＡＶサブシステムは、映像ＳＷ５２１から出力される映像信号が、映像処理装置６００を経由して分割画面２２０上で映像として表示され、音声ＳＷ５２２から出力される音声信号が、音声合成部７１０を経由してヘッドフォン出力端子２５０に接続されるヘッドフォンから音声として出力される。ただし、デフォルト設定が変更された場合はこの限りではない。
【００３２】
映像処理装置６００は、映像処理部６１０，６２０，６４０、および映像合成部６３０を備える。
【００３３】
映像処理部６１０は、映像ＳＷ５１１からの映像信号に所定の映像処理を行って映像合成部６３０に出力する。また、映像処理部６２０は、映像ＳＷ５２１からの映像に所定の映像処理を行って映像合成部６３０に出力する。映像処理部６１０，６２０の映像処理には、例えば、輝度、解像度、明度、彩度および色相の調整などが含まれる。このように、映像処理部６１０，６２０は、異なるソースセレクタ５１０，５２０（映像ＳＷ５１１，５２１）から入力される映像信号に対して、異なる映像処理を行うことができる。映像処理部６１０および映像処理部６２０における映像処理は、指示処理部４３０から入力される指示信号により制御することができる。
【００３４】
映像処理部６１０は、映像処理部６１０の映像信号から得られいずれかの分割画面上に表示される映像の表示態様を、映像処理部６２０の映像信号から得られる映像の表示態様と相違させる画質調整を行う。映像処理部６２０は、映像処理部６２０の映像信号から得られいずれかの分割画面上に表示される映像の表示態様を、映像処理部６１０の映像信号から得られる映像の表示態様と相違させる画質調整を行う。この画質調整は、指示処理部４３０からの指示信号に従って制御される。この画質調整により、搭乗者、特にリモコン３１０，３２０またはＥＳＷ３４０を操作している搭乗者が、２つの分割画面２１０，２２０のうち制御対象となっている分割画面を容易に識別することができるようになる。
【００３５】
映像合成部６３０は、映像処理部６１０からの映像信号と、映像処理部６２０からの映像信号とを、合成する。この合成は、指示処理部４３０から入力される指示信号により要求されているときに実行される。なお、合成された映像信号は、画面２３０上で２画面表示の形態（つまり、いずれかの映像信号がいずれかの分割画面に表示される形態）で表示されることとなる。また、これらの映像信号をどのように合成するかについても、指示信号により制御することができる。合成が要求されていないときは、映像合成部６３０は、指示信号に従って、映像処理部６１０または映像処理部６２０からの映像信号を、映像処理部６４０に出力する。
【００３６】
また、映像合成部６３０は、映像処理部６１０から入力される映像信号と映像処理部６２０から入力される映像信号とが、２画面表示の形態で画面２３０に表示されているときに、これらの映像信号（換言すれば、それぞれの映像信号を含むコンテンツ）が同一となる場合、いずれかの映像処理部からの映像信号のみを映像処理部６４０に出力することにより、画面２３０の映像表示形態を２画面表示から１画面表示に切り替えさせる。なお、同一映像の２画面表示の検出は、映像処理装置６００内で行われてもよいし、映像処理装置６００外で行われる検出の結果が、指示処理部４３０から入力される指示信号により映像合成部６３０に通知されてもよい。
【００３７】
さらに、映像合成部６３０は、合成が要求されていないときに、映像処理部６４０に出力すべき映像信号が３−２プルダウンを施されたものか否かを検出する。出力すべき映像信号が３−２プルダウンであることが検出された場合、指示信号に従って、映像の表示形態がワイド１画面フル表示となるように映像信号を変換してから映像処理部６４０に出力する。
【００３８】
映像処理部６４０は、映像合成部６３０からの映像信号に所定の映像処理を行って、処理後の映像信号を出力して、この映像信号を画面２３０に１画面表示または２画面表示の形態で表示させる。この映像処理は、指示処理部４３０から入力される指示信号により制御することができる。映像処理部６４０の映像処理には、例えば、画面２３０に表示される映像に対して黒画を挿入する画面修飾などが含まれる。黒画挿入は、処理対象の映像信号にゼロ信号を挿入することにより実現することができる。黒画の挿入位置としては、例えば、分割画面２１０と分割画面２２０との境界部が挙げられる。この場合、分割画面２１０に表示された映像と分割画面２２０に表示された映像とを明確に識別することが可能になる。他の例としては、画面２３０または各分割画面２１０，２２０の輪郭部などが挙げられる。境界部および輪郭部に挿入する黒画の幅は、調整可能であり、黒画幅調整により、様々な解像度およびサイズの映像を画面２３０に表示することができる。
【００３９】
映像処理部６４０が設けられなくても、映像処理部６１０、６２０が指示処理部４３０から入力される指示信号に従って画質調整を行いうる。他方、映像処理部６１０、６２０が設けられなくても、映像処理部６４０が指示処理部４３０から入力される指示信号に従って画質調整を行いうる。
【００４０】
音声合成部７１０は、音声ＳＷ５１２，５２２から入力される音声信号を、ヘッドフォン出力端子２４０，２５０およびスピーカ７２０に出力する。音声合成部７１０からヘッドフォン出力端子２４０に出力される音声信号は、音声ＳＷ５１２からの音声信号、音声ＳＷ５２２からの音声信号、およびこれらの音声信号の合成により得られる音声信号のいずれかである。音声合成部７１０からヘッドフォン出力端子２５０に出力される音声信号は、音声ＳＷ５１２からの音声信号、音声ＳＷ５２２からの音声信号、およびこれらの音声信号の合成により得られる音声信号のいずれかである。音声合成部７１０からスピーカ７２０に出力される音声信号は、音声ＳＷ５１２からの音声信号、音声ＳＷ５２２からの音声信号、およびこれらの音声信号の合成により得られる音声信号のいずれかである。音声合成部７１０からどの音声出力デバイスにどの音声信号を出力すべきかについては、指示処理部４３０から入力される指示信号により制御される。また、指示信号により音声信号の合成が要求される場合、その合成割合は、指示信号に示される。
【００４１】
音声出力デバイスとしてのスピーカ７２０は、音声合成部７１０から入力される音声信号を音声として出力する。スピーカ７２０は、車室内の任意の適切な個所に設置することができる。
【００４２】
次いで、制御装置４００内のメモリ４１０に保持される各種のテーブルの設定情報について説明する。ここでは、操作権に関する設定情報および選択映像に関する設定情報を例にとり、それぞれ図２および図３を用いて説明する。
【００４３】
図２に示す操作権設定情報において、「１画面操作権者」は、１画面に対する操作を行う権利を付与された搭乗者を意味し、「分割画面Ａ操作権者」は、分割画面Ａに対する操作を行う権利を付与された搭乗者を意味し、「分割画面Ｂ操作権者」は、分割画面Ｂに対する操作を行う権利を付与された搭乗者を意味する。なお、１画面は、例えば画面２３０であり、分割画面Ａは、例えば分割画面２１０であり、分割画面Ｂは、例えば分割画面２２０である。
【００４４】
１画面の操作権は、操作人１（例えば、左側後部座席に座ってリモコンを操作する搭乗者）、操作人２（例えば、右側後部座席に座ってリモコンを操作する搭乗者）または前席（例えば、運転席または助手席に座ってリモコンまたはＥＳＷを操作する搭乗者）に排他的に付与される。この設定は随時変更可能であり、１画面の操作権は、操作人１、操作人２および前席のうち複数のものに付与することもでき、全てのものに付与することもできる。また、映像表示の形態が２画面表示から１画面表示に切り替わった後、分割画面Ａ操作権者および分割画面Ｂ操作権者の双方が１画面操作権者として設定されるように１画面操作権を自動更新することもできる。なお、操作人１および操作人２の双方が１画面操作権を有することが好ましい。
【００４５】
分割画面Ａの操作権は、操作人１、操作人２または前席に排他的に付与される。この設定は随時変更可能であり、分割画面Ａの操作権は、操作人１、操作人２および前席のうち複数のものに付与することもでき、全てのものに付与することもできる。なお、操作人１が分割画面Ａの操作権を有することが好ましい。
【００４６】
分割画面Ｂの操作権は、操作人１、操作人２または前席に排他的に付与される。この設定は随時変更可能であり、分割画面Ｂの操作権は、操作人１、操作人２および前席のうち複数のものに付与することもでき、全てのものに付与することもできる。なお、操作人２が分割画面Ｂの操作権を有することが好ましい。
【００４７】
なお、本実施の形態では、本発明のより深い理解のために、「操作人１」はリモコン３１０を操作する搭乗者と仮定し、「操作人２」はリモコン３２０を操作する搭乗者と仮定し、「前席」はＥＳＷ３４０を操作する搭乗者と仮定する。よって、本実施の形態では、１画面および分割画面Ａ，Ｂの各操作権は、リモコン３１０，３２０およびＥＳＷ３４０のいずれかに付与されるものとする。操作権を付与されたリモコン３１０，３２０またはＥＳＷ３４０が、設定値としてテーブルに記録される。
【００４８】
そして、１画面の表示映像、分割画面Ａの表示映像または分割画面Ｂの表示映像の制御においては、複数のコマンド入力源（例えば、リモコン３１０，３２０およびＥＳＷ３４０）のうちそれぞれの操作権を付与されたものから得られた操作コマンドのみが、指示処理部４３０において有効と判定され、操作権を付与されていないものから得られた操作コマンドは、指示処理部４３０において無効と判定される。
【００４９】
また、図３に示す選択映像の設定情報において、「１画面選択映像」は、１画面に表示される映像のソースを意味する。「分割画面Ａ選択映像」は、分割画面Ａに表示される映像のソースを意味する。「分割画面Ｂ選択映像」は、分割画面Ｂに表示される映像のソースを意味する。
【００５０】
本実施の形態では、映像ソースは、ＣＤ／ＤＶＤデッキ、ＴＶチューナ１（ＴＶ１）、ＴＶチューナ２（ＴＶ２）および外部入力から選択することができる。選択されたソースが、設定値としてテーブルに記録される。なお、当然ながら、設定値としてテーブルに記録可能なソース、および入力値として操作コマンドに表示可能なソースは、コンテンツ入力ソース５００に含まれるソースに応じて変更することができる。
【００５１】
なお、前述した各種のテーブルおよびその設定情報は、一例であり、種々変更して実施することができる。
【００５２】
次いで、上記構成を有するＡＶシステム１００内の動作について説明する。
【００５３】
図４は、映像表示形態を２画面表示から１画面表示に切り替えさせる制御を行う場合の指示処理部４３０の動作の一例を説明するフロー図である。ここでは、分割画面Ａ，Ｂをそれぞれ分割画面２１０，２２０と仮定し、異なるコンテンツソースからの映像が分割画面２１０および分割画面２２０にそれぞれ表示されているときに、一方の分割画面２２０の表示映像のコンテンツソースが、リモコン操作により得られる操作コマンドに従って、ＣＤ／ＤＶＤデッキからＴＶチューナ１（ＴＶ１）に切り替えられる場合を例にとって説明する。
【００５４】
まず、ステップＳ１１１０では、操作処理部４２０から操作コマンドを取得する。
【００５５】
そして、ステップＳ１１２０では、操作コマンド、特に、操作コマンドに示された制御対象の分割画面を識別する。
【００５６】
より具体的には、制御対象の分割画面についての入力値が操作コマンドに示されている場合、例えば、搭乗者の手動操作による制御対象分割画面の指定が可能な場合は、その入力値を参照することにより、制御対象の分割画面を識別することができる。例えば、搭乗者が分割画面２２０の指定を行うと、操作コマンド内の対応するフィールドには、例えば図５に示されるように入力値“２”が表示される。
【００５７】
なお、制御対象の分割画面の識別方法は、前述のものだけに限定されず、様々な方法がありえる。例えば、図２に示した設定情報の説明から分かるように、分割画面２２０の操作権をリモコンに予め付与しておくことが可能であるため、取得した操作コマンドにリモコンの識別子が示されている場合は、そのリモコンの識別子を参照した上で操作権設定情報を参照することにより、制御対象の分割画面を識別することができる。
【００５８】
そして、ステップＳ１１３０では、操作コマンドに示された選択映像の入力値を参照する。選択映像の入力値は、例えば次のように定義される。搭乗者が、切替後のコンテンツソースとして例えばＴＶ１を選択したとすると、操作コマンド内の対応するフィールドには、入力値“２”が表示される。
【００５９】
そして、ステップＳ１１４０では、設定テーブル内の選択映像の設定値を、選択映像の入力値に基づいて更新する。この例では、図３に示されたテーブルにおいて、分割画面Ｂ選択映像の設定値がＣＤ／ＤＶＤとなっている。よって、例えば選択映像の入力値が“２”、つまりＴＶ１が選択された場合は、分割画面Ｂ選択映像の設定値をＣＤ／ＤＶＤからＴＶ１に書き換えることにより、設定値の更新を行う。
【００６０】
そして、ステップＳ１１５０では、２つの分割画面２１０，２２０の設定値が同一となったか否かを判定する。双方の設定値が同一となった場合は（Ｓ１１５０：ＹＥＳ）、ステップＳ１１６０に進む。この例では、分割画面２１０の表示映像のコンテンツソースがＴＶ１であれば、ステップＳ１１６０に進むこととなる。一方、双方の設定値が依然として異なる場合は（Ｓ１１５０：ＮＯ）、ステップＳ１１７０に進む。この例では、分割画面２１０の表示映像のコンテンツソースがＴＶ２または外部入力であれば、ステップＳ１１７０に進むこととなる。
【００６１】
ステップＳ１１６０では、映像表示形態の切替を指示する信号を、映像合成部６３０に出力する。これと同時に、更新された選択映像の設定値に従って、映像の切替を指示する信号を、制御対象の分割画面から映像として表示されている映像信号を供給している映像ＳＷに出力する。この例において、分割画面２１０および分割画面２２０に映像としてそれぞれ表示される映像信号が映像ＳＷ５１１および映像ＳＷ５２１にてそれぞれ処理されていると仮定すると、映像切替指示信号は、映像ＳＷ５２１に出力される。
【００６２】
この映像切替指示信号の出力により、映像ＳＷ５２１は、映像処理部６２０に供給する映像信号のソースを、ＣＤ／ＤＶＤデッキからＴＶ１に切り替える。映像処理部６２０は、映像ＳＷ５２１から供給される映像信号を継続的に映像合成部６３０に出力する。また、この表示形態切替指示信号の出力により、映像合成部６３０は、映像処理部６１０から入力される映像信号および映像処理部６２０から入力される映像信号の合成を停止し、これらの映像信号のうちいずれか一方のみを、映像処理部６４０に出力する。この結果、映像処理部６４０は、一方の映像信号のみをワイドディスプレイ２００側に出力し、画面２３０に表示させる。このようにして、画面２３０上の映像表示形態が、２画面表示から１画面表示に切り替えられる。
【００６３】
ここで、映像処理部６１０，６２０から入力された映像信号のうち映像合成部６３０から映像処理部６４０に出力すべき映像信号の決定方法については、様々な方法がありえる。例えば、指示処理部４３０が、どちらを出力すべきかを指定する指示信号を映像合成部６３０に出力する方法、映像合成部６３０が、コンテンツソースの切替が指示されなかった映像ＳＷに対応する映像処理部から入力された映像信号を自動的に選択する方法、などがありえる。
【００６４】
ステップＳ１１７０では、２つの分割画面２１０，２２０の設定値がいずれもＴＶチューナとなったか否かを判定する。双方の設定値がいずれもＴＶチューナとなった場合は（Ｓ１１７０：ＹＥＳ）、ステップＳ１１８０に進む。この例では、分割画面２１０の表示映像のコンテンツソースがＴＶ２であれば、ステップＳ１１８０に進むこととなる。一方、少なくともいずれかの設定値がＴＶチューナでない場合は（Ｓ１１７０：ＮＯ）、ステップＳ１１９０に進む。この例では、分割画面２１０の表示映像のコンテンツソースが外部入力であれば、ステップＳ１１９０に進むこととなる。
【００６５】
ステップＳ１１８０では、ＴＶ１およびＴＶ２のチャンネルが同一であるか否かを判定する。ＴＶ１およびＴＶ２のそれぞれで現在選択されているチャンネルが同一である場合は（Ｓ１１８０：ＹＥＳ）、前述のステップＳ１１６０に進む。一方、ＴＶ１およびＴＶ２のそれぞれで現在選択されているチャンネルが相違する場合は（Ｓ１１８０：ＮＯ）、ステップＳ１１９０に進む。
【００６６】
ステップＳ１１９０では、更新された選択映像の設定値に従って、映像の切替を指示する信号を、制御対象の分割画面から映像として表示される映像信号を供給している映像ＳＷに出力する。この例において、分割画面２１０および分割画面２２０に映像としてそれぞれ表示される映像信号が映像ＳＷ５１１および映像ＳＷ５２１にてそれぞれ処理されていると仮定すると、映像切替指示信号は、映像ＳＷ５２１に出力される。
【００６７】
この映像切替指示信号の出力により、映像ＳＷ５２１は、映像処理部６２０に供給する映像信号のソースを、ＣＤ／ＤＶＤデッキから外部入力に切り替える。映像処理部６２０は、映像ＳＷ５２１から供給される映像信号を継続的に映像合成部６３０に出力し、映像合成部６３０は、映像処理部６１０，６２０からそれぞれ入力される映像信号を合成して映像処理部６４０に出力し、映像処理部６４０は、映像合成部６３０により合成された映像信号を、引き続き２画面表示の形態で画面２３０に表示させる。このようにして、画面２３０上の映像表示形態は２画面表示のままで、一方の分割画面の表示映像のみが切り替えられる。
【００６８】
ここで、上記フロー中のステップＳ１１７０，１１８０は、コンテンツ入力ソース５００にテレビチューナが２つ以上含まれている場合に、実行されることが好ましい。２つ以上のテレビチューナが備えられている場合は、異なるテレビチューナが選択されたとしても、同じチャンネルが選択される可能性がある。異なるテレビチューナで同じチャンネルを選択することは、同じテレビチューナを選択することと、画面２３０に結果的に表示される映像で判断すれば同じことである。よって、前述のステップＳ１１７０，１１８０を実行することにより、たとえ異なるテレビチューナが選択されたとしても同じチャンネルが選択されていれば、映像表示形態を自動的に１画面表示に切り替えることができ、搭乗者の操作の手間を省くことができ、このシステムの利便性を一段と向上させることができる。
【００６９】
なお、前述のステップＳ１１８０の判断は、必ずしも、図４に示されたようなコンテンツソース切替時のためのフローの一部として実行させる必要はなく、単独で実行させてもよい。すなわち、２つの分割画面２１０，２２０にＴＶチューナ１，２からの映像がそれぞれ表示されているときに、例えば搭乗者のリモコン操作により得られた操作コマンドに従って一方のＴＶチューナのチャンネルの切替が、指示処理部４３０からコンテンツ入力ソース５００に指示される場合には、前述のステップＳ１１８０の動作を適用することができる。
【００７０】
また、前述の映像切替制御は、対応する音声の切替制御を連動させると、搭乗者の操作の手間を省くことができる。一方、映像の切替制御と、音声の切替制御とが互いに連動しない場合は、異なるコンテンツソースからの映像および音声の自由な組合せが可能となり、このシステムの娯楽性を一層向上させることができる。
【００７１】
ところで、図４を用いて説明したフローでは、映像切替指示信号と同時に表示形態切替信号が出力されるため、コンテンツソース切替後の２つの映像、つまり同一の映像が２つの分割画面２１０，２２０にそれぞれ表示されることなく、２画面表示から１画面表示への切替を行うことが可能である（図７の右側の矢印を参照）。つまり、図７に示された（ａ）、（ｂ）および（ｃ）の状態を辿るような２段階の表示形態切替を回避することができ、頻繁な表示切替に起因する視聴者の不快感を生じさせないようにすることができる。
【００７２】
なお、２画面表示から１画面表示への映像表示形態の切替方法は、前述のものだけに限定されない。例えば、映像処理装置６００またはワイドディスプレイ２００の内部に、２つの分割画面２１０，２２０に実際に表示された映像の一致を検出する手段を設けた場合は、指示処理部４３０が表示形態切替指示信号を生成または出力することなく、２画面表示から１画面表示への映像表示形態の切替が可能である。すなわち、表示形態切替指示信号が映像合成部６３０に入力されない場合、映像合成部６３０は、映像処理部６１０，６２０から入力される映像信号を、たとえ同じ映像信号が入力されたとしても継続的に合成し続ける。よって、画面２３０には、異なる映像が分割画面表示された後、同一の映像が分割画面表示される。これは、図７の（ａ）から（ｂ）への変化により表される。このとき、上記一致検出手段が、画面２３０上での同一映像の分割画面表示を検出する。そして、例えば同一映像の分割画面表示が一定時間にわたって維持された場合、一致検出手段が、表示形態切替指示信号を映像合成部６３０に出力する。この後の動作は前述のとおりである。この結果、映像表示の形態が、２画面表示から１画面表示に切り替えられる（図７の（ｃ））。
【００７３】
また、映像表示形態切替の方法にかかわらず、映像表示切替制御において、映像合成部６３０は、映像の合成を停止すると同時に、表示映像が画面２３０の全域または部分領域にわたって表示される（ワイド１画面フル表示）よう表示映像を拡大させる処理を行うことが好ましい。この場合、指示処理部４３０が、表示形態の切替を指示する信号を、映像処理部６４０に出力してもよい。さらに、この映像拡大処理と同時に、映像処理部６４０は、表示映像の幅方向中央部を画面２３０の幅方向中央部に移動させるような処理を行うことが好ましい。さらに、これと同時に、映像が表示されなくなる画面２３０上の残余部分に対して適切に黒画を挿入することが好ましい。
【００７４】
映像表示形態が２画面表示から１画面表示に切り替えられるとき、１画面表示の形態で映像として表示されることとなる映像信号に対して、解像度変換が行われる。
【００７５】
図８を参照して、まず、ステップＳ１２１０では、表示形態切替指示信号が指示処理部４３０から送信され、映像処理部６４０がこれを受信する。そして、ステップＳ１２２０では、変換対象の映像の解像度を読み出すことにより、選択映像の解像度を取得する。そして、ステップＳ１２３０では、１画面表示への切替後の表示形態についての設定情報に基づいて、映像の解像度を変換する。この解像度変換により、２画面表示から１画面表示への切替に起因する画質の劣化を抑制することができる。
【００７６】
次いで、映像表示形態を１画面表示から２画面表示に切り替えさせる制御を行う場合の指示処理部４３０の動作の一例を、図９に示すフロー図を用いて説明する。
【００７７】
まず、ステップＳ１３１０では、操作処理部４２０から操作コマンドを取得する。
【００７８】
そして、ステップＳ１３２０では、操作コマンドに示された選択映像の入力値を参照する。選択映像の入力値は、例えば図６に示された設定テーブルにより定義される。
【００７９】
そして、ステップＳ１３３０では、制御対象の分割画面の指定があるか否かを判断する。制御対象の分割画面の指定がある場合は（Ｓ１３３０：ＹＥＳ）、ステップＳ１３４０に進み、制御対象の分割画面の指定がない場合は（Ｓ１３３０：ＮＯ）、ステップＳ１３７０に進む。制御対象分割画面の指定の有無は、操作コマンドに示された制御対象分割画面の入力値（図５に例示）を参照することにより、確認することができる。操作コマンドに制御対象分割画面の入力値が示されていない場合は、その指定がないと判断される。
【００８０】
制御対象分割画面の入力値は、例えば搭乗者のリモコン操作によって生成することができる。搭乗者は、例えば左側の分割画面を指定したいときは、例えば図１０に示すリモコン３１０（またはリモコン３２０）の「Ｌ」の操作ボタン３１１を押下する。左側の分割画面が分割画面Ａであるとすると、この操作により入力値“１”が生成される。また、搭乗者が、例えば右側の分割画面を指定したいときは、例えばリモコン３１０（またはリモコン３２０）の「Ｒ」の操作ボタン３１２を押下する。右側の分割画面が分割画面Ｂであるとすると、この操作により入力値“２”が生成される。
【００８１】
ステップＳ１３４０では、設定テーブル内の選択映像の設定値を更新する。例えば、制御対象分割画面が分割画面Ａである場合は、図３に示す「分割画面Ａ選択映像」の設定値を、操作コマンドに示された選択映像の入力値で書き換えることによって、設定値を更新する。また、例えば、制御対象分割画面が分割画面Ｂである場合は、図３に示す「分割画面Ｂ選択映像」の設定値を、操作コマンドに示された選択映像の入力値で書き換えることによって、設定値を更新する。
【００８２】
そして、ステップＳ１３５０では、映像表示形態の切替を指示する信号を、映像合成部６３０に出力する。この表示形態切替指示信号の出力により、映像合成部６３０は、映像処理部６１０から入力される映像信号および映像処理部６２０から入力される映像信号の合成を開始し、合成された映像信号を映像処理部６４０に出力する。
【００８３】
そして、ステップＳ１３６０では、更新された選択映像の設定値に従って、映像の切替を指示する信号を、制御対象の分割画面から映像として表示すべき映像信号を供給することとなる映像ＳＷに出力する。例えば、１画面表示されていた映像が映像ＳＷ５１１を介して得られたものである場合は、映像切替指示信号は映像ＳＷ５２１に出力され、１画面表示されていた映像が映像ＳＷ５２１を介して得られたものである場合は、映像切替指示信号は映像ＳＷ５１１に出力される。
【００８４】
この映像切替指示信号に基づいて、映像切替指示信号を受信した映像ＳＷは、対応する映像処理部に供給する映像信号のソースを切り替える。これにより、画面２３０上の映像表示形態が、１画面表示から２画面表示に切り替わる。なお、前述のステップＳ１３５０，１３６０はほぼ同時に実行されるようタイミング制御されることが好ましい。
【００８５】
ステップＳ１３７０では、設定テーブル内の選択映像の設定値を更新する。この場合、図３に示す「１画面選択映像」の設定値を、操作コマンドに示された選択映像の入力値で書き換えることによって、設定値を更新する。
【００８６】
そして、ステップＳ１３８０では、更新された選択映像の設定値に従って、映像の切替を指示する信号を、制御対象画面（この場合、非分割の１画面）から映像として表示されている映像信号を映像処理部６１０または映像処理部６２０に供給している映像ＳＷに出力する。
【００８７】
この映像切替指示信号に基づいて、映像切替指示信号を受信した映像ＳＷは、対応する映像処理部に供給する映像信号のソースを切り替える。これにより、画面２３０上の表示形態は１画面表示に維持されたまま、画面２３０の表示映像が切り替わる。
【００８８】
なお、前述の映像切替制御は、対応する音声の切替制御を連動させると、搭乗者の操作の手間を省くことができる。一方、映像の切替制御と、音声の切替制御とが互いに連動しない場合は、異なるコンテンツソースからの映像および音声の自由な組合せが可能となり、このシステムの娯楽性を一層向上させることができる。
【００８９】
また、表示形態切替制御のためのリモコン操作方法としては、様々な例がありえる。例えば、搭乗者が、図１０に示すリモコン３１０（またはリモコン３２０）の「Ｌ」または「Ｒ」の操作ボタン３１１，３１２を押下した後、「ＶＩＤＥＯ」の操作ボタン３１３を使って選択映像を指定した場合、１画面表示から２画面表示への表示形態切替制御が実現される。また、搭乗者が、「Ｌ」および「Ｒ」の操作ボタン３１１，３１２のいずれも押下せずに、「ＶＩＤＥＯ」の操作ボタン３１３を使って選択映像を指定した場合、１画面表示の形態が維持される。なお、「ＶＩＤＥＯ」の操作ボタン３１３を用いる代わりに、「ＡＵＤＩＯ」の操作ボタン３１４を用いて選択音声を指定した上で「ＡＶ連動」の操作ボタン３１５を押下した場合でも、同様の表示形態切替制御を実現することができる。あるいは、「１画面／２画面」の操作ボタン３１６の押下により手動操作で表示形態切替を実現することも可能である。
【００９０】
以上のように、本実施の形態によれば、異なる分割画面に異なるコンテンツソースの映像を同時に表示させることができる。これにより、個々の搭乗者の望む映像を１つの画面に表示させることができ、個々の搭乗者にとっての利便性を向上することができ、１人の搭乗者が複数のコンテンツを同時に楽しむこともできる。特に、本実施の形態では、分割画面表示の形態で表示される複数の映像の個別制御を可能としたため、搭乗者が、見る映像を自由に選択することができ、このシステムの娯楽性を増大させることができる。
【００９１】
さらに、本実施の形態によれば、２つの分割画面の表示映像が同一となる場合に、映像表示の形態を２画面表示から１画面表示に切り替えるため、表示映像を見易くすることができる。特に、１画面表示への切替と同時に映像を拡大表示させる場合、表示される映像の迫力を増大させることができ、搭乗者がより快適に映像を楽しむことを可能にする。
【００９２】
以上、本発明の実施の形態について説明した。なお、以上の説明は本発明の好適な実施の形態の例証であり、本発明の範囲はこれに限定されない。例えば、本実施の形態では、ＡＶシステムを車載用電子機器として用いた場合について説明したが、本実施の形態のＡＶシステムを単体で用いて、狭空間に設置されユーザの操作を必要とする音響機器または映像機器に応用することもできる。また、図１に示した構成は一例であり、よって、本発明の範囲においてこの構成例の様々な変更および修正が可能であることは明らかである。
【００９３】
また、本発明の他の実施の形態として、上記実施の形態で説明したＡＶシステムの各構成要素の機能を実現させるためのプログラムを読み取り可能な記録媒体に格納し、ＣＰＵを用いてそのプログラムを実行させることにより、本発明を実施することもできる。
【産業上の利用可能性】
【００９４】
本発明の表示システム、映像処理装置および映像処理方法は、ＡＶシステムなどの車載機器として有用である。また、これらは車室以外での用途にも適しており、例えば、表示装置または音声出力デバイスを備え且つ狭空間内でのユーザの操作を必要とする映像機器または音響機器の用途に応用することができる。
【図面の簡単な説明】
【００９５】
【図１】本発明の一実施の形態に係るＡＶシステムの構成を示すブロック図
【図２】本発明の一実施の形態に係る操作権設定情報の一例を示す図
【図３】本発明の一実施の形態に係る選択映像の設定情報の一例を示す図
【図４】本発明の一実施の形態に係る２画面表示から１画面表示への表示形態切替制御の動作の一例を説明するためのフロー図
【図５】本発明の一実施の形態に係る操作コマンドに示される制御対象分割画面の入力値の一例を示す図
【図６】本発明の一実施の形態に係る操作コマンドに示される選択映像の入力値の一例を示す図
【図７】本発明の一実施の形態に係る表示形態切替制御に伴う表示映像の変化を示す図
【図８】本発明の一実施の形態に係る解像度変換の動作の一例を説明するためのフロー図
【図９】本発明の一実施の形態に係る１画面表示から２画面表示への表示形態切替制御の動作の一例を説明するためのフロー図
【図１０】本発明の一実施の形態に係るリモコンの操作ボタンの一例を示す図
【符号の説明】
【００９６】
１００  ＡＶシステム
２００  ワイドディスプレイ
２１０，２２０  分割画面
２３０  画面
２４０，２５０  ヘッドフォン出力端子
３１０，３２０  リモコン
３４０  ＥＳＷ
４００  制御装置
４２０  操作処理部
４３０  指示処理部
５００  コンテンツ入力ソース
５１０，５２０  ソースセレクタ
６００  映像処理装置
６１０，６２０，６４０  映像処理部
６３０  映像合成部
７１０  音声合成部
７２０  スピーカ
【図１】
2007295048.tif 000003
【図２】
2007295048.tif 000004
【図３】
2007295048.tif 000005
【図４】
2007295048.tif 000006
【図５】
2007295048.tif 000007
【図６】
2007295048.tif 000008
【図７】
2007295048.tif 000009
【図８】
2007295048.tif 000010
【図９】
2007295048.tif 000011
【図１０】
2007295048.tif 000012